(57)【要約】【課題】非表示とすべきシークレットモードが設定されている場合、プレゼンスに関する承認も相手方に表示されない。【解決手段】ユーザの活動状態を示す活動情報を、他のユーザであって互いに登録を承認した承認ユーザが使用する他の携帯電話との間で、サーバを介して相互に通知する携帯電話であって、電話帳格納部と、承認情報格納部と、非表示モード設定部と、特定ユーザ受付部と表示部とを備え、表示部は、特定のユーザの電話番号に対応付けて登録を削除する旨の要求を受信した場合に、非表示モード設定部により非表示モードが設定されていないときは、当該電話番号に対応付けて承認情報格納部に格納されている当該特定のユーザの名前、および、当該要求を画面上に表示し、非表示モード設定部により非表示モードが設定されているときは、当該電話番号および当該要求を画面上に表示する。【選択図】図２
2008104103.tif 000002
【特許請求の範囲】
【請求項１】
ユーザの活動状態を示す活動情報を、他のユーザであって互いに登録を承認した承認ユーザが使用する他の携帯電話との間で、サーバを介して相互に通知する携帯電話であって、
前記他のユーザが使用する携帯電話の電話番号と当該他のユーザの名前とを対応付けた電話帳を格納する電話帳格納部と、
前記承認ユーザの電話番号を前記承認ユーザの名前に対応付けて格納する承認情報格納部と、
前記電話帳格納部に格納されている前記他のユーザのうち特定のユーザの前記名前を非表示とする非表示モードの設定を受け付ける非表示モード設定部と、
前記特定のユーザの選択を受け付ける特定ユーザ受付部と、
前記特定のユーザの前記電話番号に対応付けて通話の着呼があった場合に、前記非表示モード設定部により前記非表示モードが設定されていないときは、当該電話番号に対応付けて前記電話帳格納部に格納されている前記名前、および、前記着呼があった旨を画面上に表示し、前記非表示モード設定部により前記非表示モードが設定されているときは、当該電話番号および前記着呼があった旨を画面上に表示する表示部と
を備え、
前記表示部は、前記特定のユーザの前記電話番号に対応付けられた前記活動情報を受信した場合に、前記非表示モード設定部により前記非表示モードが設定されていないときは、当該電話番号に対応付けて前記承認情報格納部に格納されている当該特定のユーザの前記名前および受信した前記活動情報を画面上に表示し、前記非表示モード設定部により前記非表示モードが設定されているときは、当該電話番号、当該特定ユーザの前記名前、および、前記活動情報を受信した旨を画面上に表示せず、
前記表示部は、前記特定のユーザの前記電話番号に対応付けて前記登録を削除する旨の要求を受信した場合に、前記非表示モード設定部により前記非表示モードが設定されていないときは、当該電話番号に対応付けて前記承認情報格納部に格納されている当該特定のユーザの前記名前、および、当該要求を画面上に表示し、前記非表示モード設定部により前記非表示モードが設定されているときは、当該電話番号および当該要求を画面上に表示する携帯電話。
【請求項２】
前記携帯電話は、
前記電話帳の利用を禁止する電話帳禁止モードの設定を受け付ける禁止モード設定部
をさらに備え、
前記表示部は、前記特定のユーザの前記電話番号に対応付けて通話の着呼があった場合に、前記非表示モード設定部により前記非表示モードが設定されていないときであって、前記禁止モード設定部により前記電話帳禁止モードが設定されているときは、当該電話番号および前記着呼があった旨を画面上に表示し、
前記表示部は、前記特定のユーザの前記電話番号に対応付けられた前記活動情報を受信した場合に、前記非表示モード設定部により前記非表示モードが設定されていないときであって、前記禁止モード設定部により前記電話帳禁止モードが設定されているときは、当該電話番号および受信した前記活動情報を画面上に表示し、
前記表示部は、前記特定のユーザの前記電話番号に対応付けて前記登録を削除する旨の要求を受信した場合に、前記非表示モード設定部により前記非表示モードが設定されていないときであって、前記禁止モード設定部により前記電話帳禁止モードが設定されているときは、当該電話番号および当該要求を画面上に表示する請求項１に記載の携帯電話。
【請求項３】
ユーザの活動状態を示す活動情報を、他のユーザであって互いに登録を承認した承認ユーザが使用する他の携帯電話との間で、サーバを介して相互に通知する携帯電話を制御するプログラムであって、前記携帯電話を、
前記他のユーザが使用する携帯電話の電話番号と当該他のユーザの名前とを対応付けた電話帳を格納する電話帳格納機能、
前記承認ユーザの電話番号を前記承認ユーザの名前に対応付けて格納する承認情報格納機能、
前記電話帳格納機能に格納されている前記他のユーザのうち特定のユーザの前記名前を非表示とする非表示モードの設定を受け付ける非表示モード設定機能、
前記特定のユーザの選択を受け付ける特定ユーザ受付機能、および、
前記特定のユーザの前記電話番号に対応付けて通話の着呼があった場合に、前記非表示モード設定機能により前記非表示モードが設定されていないときは、当該電話番号に対応付けて前記電話帳格納機能に格納されている前記名前、および、前記着呼があった旨を画面上に表示し、前記非表示モード設定機能により前記非表示モードが設定されているときは、当該電話番号および前記着呼があった旨を画面上に表示する表示機能
を実行させ、
前記表示機能は、前記特定のユーザの前記電話番号に対応付けられた前記活動情報を受信した場合に、前記非表示モード設定機能により前記非表示モードが設定されていないときは、当該電話番号に対応付けて前記承認情報格納機能に格納されている当該特定のユーザの前記名前および受信した前記活動情報を画面上に表示し、前記非表示モード設定機能により前記非表示モードが設定されているときは、当該電話番号、当該特定ユーザの前記名前、および、前記活動情報を受信した旨を画面上に表示せず、
前記表示機能は、前記特定のユーザの前記電話番号に対応付けて前記登録を削除する旨の要求を受信した場合に、前記非表示モード設定機能により前記非表示モードが設定されていないときは、当該電話番号に対応付けて前記承認情報格納機能に格納されている当該特定のユーザの前記名前、および、当該要求を画面上に表示し、前記非表示モード設定機能により前記非表示モードが設定されているときは、当該電話番号および当該要求を画面上に表示するプログラム。
【請求項４】
ユーザの活動状態を示す活動情報を、他のユーザであって互いに登録を承認した承認ユーザが使用する他の携帯電話との間で、サーバを介して相互に通知する携帯電話を制御する携帯電話制御方法であって、
前記他のユーザが使用する携帯電話の電話番号と当該他のユーザの名前とを対応付けた電話帳を電話帳格納部に格納し、
前記承認ユーザの電話番号を前記承認ユーザの名前に対応付けて承認情報格納部に格納し、
前記電話帳格納機部に格納されている前記他のユーザのうち特定のユーザの前記名前を非表示とする非表示モードの設定を受け付け、
前記特定のユーザの選択を受け付け、
前記特定のユーザの前記電話番号に対応付けて通話の着呼があった場合に、前記非表示モードが設定されていないときは、当該電話番号に対応付けて前記電話帳格納部に格納されている前記名前、および、前記着呼があった旨を画面上に表示し、前記非表示モードが設定されているときは、当該電話番号および前記着呼があった旨を画面上に表示する表示し、
前記特定のユーザの前記電話番号に対応付けられた前記活動情報を受信した場合に、前記非表示モードが設定されていないときは、当該電話番号に対応付けて前記承認情報格納部に格納されている当該特定のユーザの前記名前および受信した前記活動情報を画面上に表示し、前記非表示モードが設定されているときは、当該電話番号、当該特定ユーザの前記名前、および、前記活動情報を受信した旨を画面上に表示せず、
前記特定のユーザの前記電話番号に対応付けて前記登録を削除する旨の要求を受信した場合に、前記非表示モードが設定されていないときは、当該電話番号に対応付けて前記承認情報格納部に格納されている当該特定のユーザの前記名前、および、当該要求を画面上に表示し、前記非表示モードが設定されているときは、当該電話番号および当該要求を画面上に表示する制御方法。
【発明の詳細な説明】
【技術分野】
【０００１】
本発明は、活動情報を画面上に表示する携携帯電話、プログラムおよび制御方法に関する。特に、本発明は、ユーザの活動状態を示す活動情報を、他のユーザであって互いに登録を承認した承認ユーザが使用する他の携帯電話との間で、サーバを介して相互に通知する携帯電話、プログラムおよび制御方法に関する。
【背景技術】
【０００２】
電話帳データのシークレットレベルを少なくとも３段階に設定できる携帯通信端末が知られている（例えば、特許文献１参照）。特許文献１に記載の携帯通信端末は、着信があった場合に、設定されているシークレットレベルに応じて電話帳データに含まれるデータを表示または非表示にする。また、特許文献１に記載の携帯通信端末は、スケジュール機能を有し、設定されているシークレットレベルに応じて特定のデータが含まれるスケジュール画面を表示または非表示にする。
【０００３】
また、ユーザの活動状態を示す活動情報を、他のユーザであって互いに登録を承認した承認ユーザが使用する他の携帯電話との間で、サーバを介して相互に通知する携帯電話が知られている（例えば、特許文献２参照）。
【特許文献１】特開２００５−１９８１７０号公報
【特許文献２】特開２００５−１２３９７０号公報号
【発明の開示】
【発明が解決しようとする課題】
【０００４】
しかしながら、特許文献２においては、電話帳データのシークレットレベルと活動情報の表示との関係については何ら記載されていないので、電話帳データにシークレットレベルが設定されていても、活動情報を受信した場合に電話帳データを実質的に表示することになる、という不具合がある。
【課題を解決するための手段】
【０００５】
上記課題を解決するために、本発明の第１の形態においては、ユーザの活動状態を示す活動情報を、他のユーザであって互いに登録を承認した承認ユーザが使用する他の携帯電話との間で、サーバを介して相互に通知する携帯電話であって、他のユーザが使用する携帯電話の電話番号と当該他のユーザの名前とを対応付けた電話帳を格納する電話帳格納部と、承認ユーザの電話番号を承認ユーザの名前に対応付けて格納する承認情報格納部と、電話帳格納部に格納されている他のユーザのうち特定のユーザの名前を非表示とする非表示モードの設定を受け付ける非表示モード設定部と、特定のユーザの選択を受け付ける特定ユーザ受付部と、特定のユーザの電話番号に対応付けて通話の着呼があった場合に、非表示モード設定部により非表示モードが設定されていないときは、当該電話番号に対応付けて電話帳格納部に格納されている名前、および、着呼があった旨を画面上に表示し、非表示モード設定部により非表示モードが設定されているときは、当該電話番号および着呼があった旨を画面上に表示する表示部とを備え、表示部は、特定のユーザの電話番号に対応付けられた活動情報を受信した場合に、非表示モード設定部により非表示モードが設定されていないときは、当該電話番号に対応付けて承認情報格納部に格納されている当該特定のユーザの名前および受信した活動情報を画面上に表示し、非表示モード設定部により非表示モードが設定されているときは、当該電話番号、当該特定ユーザの名前、および、活動情報を受信した旨を画面上に表示せず、表示部は、特定のユーザの電話番号に対応付けて登録を削除する旨の要求を受信した場合に、非表示モード設定部により非表示モードが設定されていないときは、当該電話番号に対応付けて承認情報格納部に格納されている当該特定のユーザの名前、および、当該要求を画面上に表示し、非表示モード設定部により非表示モードが設定されているときは、当該電話番号および当該要求を画面上に表示する。これにより、活動情報に関連する情報を受信した場合に、非表示モードの設定だけでなく、非表示モードの設定、および、受信した活動情報に関連する情報の種類に応じて、受信した活動情報に関連する情報、または、受信した活動情報に関連する情報に対応付けて格納している情報の表示または非表示を切り替えることができる。
【０００６】
なお、上記の発明の概要は、本発明の必要な特徴の全てを列挙したものではなく、これらの特徴群のサブコンビネーションもまた、発明となりうる。
【発明を実施するための最良の形態】
【０００７】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【０００８】
図１は、携帯電話２０を含むシステム構成の模式図である。携帯電話２０は、ディスプレイ２００および操作パネル３００を備える。携帯電話２０は、ネットワーク８０を介して他の携帯電話２２、２４、２６、２８と通話および通信する。ネットワーク８０は、例えば、交換機を含むコアネットワークである。また、携帯電話２０とネットワーク８０との間は、基地局を含む無線アクセスネットワークで通信する。他の携帯電話２２、２４、２６、２８についても同様である。以下、携帯電話２０はユーザＡ、携帯電話２２はユーザＢ、携帯電話２４はユーザＣ、携帯電話２６はユーザＤ、携帯電話２８はユーザＥにより使用されるものとして説明する。
【０００９】
また、携帯電話２０は、活動情報に関連する情報を送受信する。活動情報は、ユーザの活動状態を示す情報であって、一例としては、自宅に居ることを示す活動情報「自宅」である。また、活動情報はプレゼンス情報ともいう。携帯電話２０により送受信される活動情報に関連する情報は、活動情報に加え、活動情報を相互に通知することについての登録を承認する旨の要求、登録を承認する旨の要求に対する応答、上記登録を削除する旨の要求、上記登録を削除する旨の要求に対する応答などが含まれる。
【００１０】
携帯電話２０は、活動情報を、他のユーザであって互いに登録を承認した承認ユーザが使用する他の携帯電話との間で、サーバを介して相互に通知する。図１に示す例において、ユーザＢおよびユーザＣは、ユーザＡから見た場合の承認ユーザである。よって例えば、携帯電話２０は、ユーザＡの活動情報を、サーバ３０、ネットワーク７０およびサーバ３２を介してユーザＢが使用する携帯電話２２に送信する。また例えば、携帯電話２０は、ユーザＢの活動情報を、サーバ３２、ネットワーク７０およびサーバ３０を介して携帯電話２２から受信する。
【００１１】
サーバ３０、３２、３４は、例えば、ＳＩＰ（Ｓｅｓｓｉｏｎ  Ｉｎｉｔｉａｔｉｏｎ  Ｐｒｏｔｏｃｏｌ）サーバである。サーバ３０、３２、３４はそれぞれ、活動情報を送受信する携帯電話２０、２２、２４のそれぞれに対応付けられている。ネットワーク７０は、例えば、インターネットである。また、携帯電話２０、２２、２４とそれぞれに対応付けられたサーバ３０、３２、３４との間は、基地局を含む無線アクセスネットワークで通信する。なお、携帯電話２０、２２、２４の機能および動作は同一であるので、以下、携帯電話２０について説明する。
【００１２】
図２は、携帯電話２０のブロック図の一例を示す。図３は、電話帳格納部１４０に格納された情報の一例を示す。図４は、承認情報格納部１５０に格納された情報の一例を示す。図２に示すように携帯電話２０は、非表示モード設定部１００、特定ユーザ受付部１１０、表示部１３０、電話帳格納部１４０、承認情報格納部１５０、反映部１６０および判断部１７０を備える。
【００１３】
電話帳格納部１４０は、他のユーザが使用する携帯電話の電話番号と当該他のユーザの名前とを対応付けた電話帳を格納する。図３（ａ）に示す例において電話帳格納部１４０は、ユーザＢが使用する携帯電話２２の電話番号「ＸＸＸ−ＸＸＸ−ＸＸＸＸＸ１」に対応付けて名前「Ｂさん」および特定ユーザであるか否かを示す特定ユーザフラグ「０（オフ、以下同じ）」を格納し、ユーザＣが使用する携帯電話２４の電話番号「ＸＸＸ−ＸＸＸ−ＸＸＸＸＸ２」に対応付けて名前「Ｃ君」および特定ユーザフラグ「１（オン、以下同じ）」を格納し、ユーザＤが使用する携帯電話２６の電話番号「ＸＸＸ−ＸＸＸ−ＸＸＸＸＸ３」に対応付けて名前「Ｄさん」および特定ユーザフラグ「０」を格納し、ユーザＥが使用する携帯電話２８の電話番号「ＸＸＸ−ＸＸＸ−ＸＸＸＸＸ４」に対応付けて名前「Ｅ君」および特定ユーザフラグ「１」を格納している。また、図３（ｂ）に示す例において電話帳格納部１４０は、非表示モードが設定されたか否かを示す非表示モードフラグ「１」を格納している。以下、図３（ａ）に示すように、ユーザＣおよびユーザＥは特定ユーザであるものとする。
【００１４】
非表示モード設定部１００は、電話帳格納部１４０に格納されている他のユーザのうち特定のユーザの名前を非表示とする非表示モードの設定を受け付け、非表示モードが設定されたか否かを示す情報を電話帳格納部１４０に格納する。特定ユーザ受付部１１０は、特定のユーザの選択を受け付け、特定ユーザであるか否かを示す情報を電話帳格納部１４０に格納する。
【００１５】
承認情報格納部１５０は、承認ユーザの電話番号を承認ユーザの名前に対応付けて格納する。図４に示す例において承認情報格納部１５０は、承認ユーザであるユーザＢが使用する携帯電話２２の電話番号「ＸＸＸ−ＸＸＸ−ＸＸＸＸＸ１」に対応付けて名前「Ｂさん」を格納し、承認ユーザであるユーザＣが使用する携帯電話２４の電話番号「ＸＸＸ−ＸＸＸ−ＸＸＸＸＸ２」に対応付けて名前「Ｃ君」を格納している。
【００１６】
反映部１６０は、電話帳格納部１４０により電話帳に格納された情報、承認情報格納部１５０に格納された情報を相互に反映する。例えば、ユーザＡが操作パネル３００を操作することにより、電話番号「ＸＸＸ−ＸＸＸ−ＸＸＸＸＸ１」に対応付けて電話帳格納部１４０に格納されている名前「Ｂさん」を名前「Ｆさん」に変更した場合に、反映部１６０は、電話番号「ＸＸＸ−ＸＸＸ−ＸＸＸＸＸ１」に対応付けて承認情報格納部１５０に格納されている名前「Ｂさん」を名前「Ｆさん」に変更する。
【００１７】
表示部１３０は、通話を発着信し、電子メールを送受信する。また表示部１３０は、活動情報に関連する情報を送受信する。すなわち表示部１３０は、活動情報、活動情報を相互に通知することについての登録を承認する旨の要求、登録を承認する旨の要求に対する応答、上記登録を削除する旨の要求、上記登録を削除する旨の要求に対する応答などを送受信する。なお、活動情報に関連する情報は、送信者を識別する電話番号および受信者を識別する電話番号に対応付けて送受信される。
【００１８】
判断部１７０は、表示部１３０による着信または受信を監視することにより、表示部１３０に着信または受信した情報が何であるかを判断する。例えば、判断部１７０は、表示部１３０が活動情報を受信したと判断する。判断部１７０は、判断した結果を表示部１３２に通知する。
【００１９】
さらに表示部１３０は、着信または受信した情報をディスプレイ２００に表示する。この場合に、表示部１３０は、着信または受信した情報の種類および非表示モードの設定に基づいて、着信または受信した情報、または、着信または受信した情報に対応付けて格納している情報の表示または非表示を切り替える。
【００２０】
判断部１７０が表示部１３０に特定のユーザの電話番号に対応付けて通話の着呼があったと判断した場合に、表示部１３０は、非表示モード設定部１００により非表示モードが設定されていないときは、当該電話番号に対応付けて電話帳格納部１４０に格納されている名前、および、着呼があった旨をディスプレイ２００に表示する。
【００２１】
判断部１７０が表示部１３０に特定のユーザの電話番号に対応付けて通話の着呼があったと判断した場合に、表示部１３０は、非表示モード設定部１００により非表示モードが設定されているときは、当該電話番号および着呼があった旨をディスプレイ２００に表示する。
【００２２】
判断部１７０は表示部１３０が特定のユーザの電話番号に対応付けられた活動情報を受信したと判断した場合に、表示部１３０は、非表示モード設定部１００により非表示モードが設定されていないときは、当該電話番号に対応付けて承認情報格納部１５０に格納されている当該特定のユーザの名前および受信した活動情報をディスプレイ２００に表示する。
【００２３】
判断部１７０は表示部１３０が特定のユーザの電話番号に対応付けられた活動情報を受信したと判断した場合に、表示部１３０は、非表示モード設定部１００により非表示モードが設定されているときは、当該電話番号、当該特定ユーザの名前、および、活動情報を受信した旨をディスプレイ２００に表示しない。
【００２４】
判断部１７０は表示部１３０が特定のユーザの電話番号に対応付けて登録を削除する旨の要求を受信したと判断した場合に、表示部１３０は、非表示モード設定部１００により非表示モードが設定されていないときは、当該電話番号に対応付けて承認情報格納部１５０に格納されている当該特定のユーザの名前、および、当該要求をディスプレイ２００に表示する。
【００２５】
判断部１７０は表示部１３０が特定のユーザの電話番号に対応付けて登録を削除する旨の要求を受信したと判断した場合に、表示部１３０は、非表示モード設定部１００により非表示モードが設定されているときは、当該電話番号および当該要求をディスプレイ２００に表示する。
【００２６】
したがって、図２のブロック図により示される携帯電話２０は、活動情報に関連する情報を受信した場合に、非表示モードの設定だけでなく、非表示モードの設定、および、受信した活動情報に関連する情報の種類に応じて、受信した活動情報に関連する情報、または、受信した活動情報に関連する情報に対応付けて格納している情報の表示または非表示を切り替えることができる。
【００２７】
図５は、携帯電話２０のブロック図の他の一例を示す。図６は、電話帳格納部１４２に格納された情報の一例を示す。図５に示すように携帯電話２０は、非表示モード設定部１００、特定ユーザ受付部１１０、表示部１３２、電話帳格納部１４２、承認情報格納部１５０、反映部１６０および判断部１７０に加えて、さらに、禁止モード設定部１２０を備える。禁止モード設定部１２０は、電話帳の利用を禁止する電話帳禁止モードの設定を受け付ける。禁止モード設定部１２０は、電話帳禁止モードが設定されたか否かを示す情報を電話帳格納部１４２に格納する。図６（ｃ）に示す例において電話帳格納部１４２は、電話帳禁止モードが設定されたか否かを示す電話帳禁止モードフラグ「０」を格納している。なお、電話帳格納部１４２は、図３（ａ）（ｂ）と同様の情報を、図６（ａ）（ｂ）に格納している。
【００２８】
表示部１３２は、通話を発着信し、電子メールを送受信する。また表示部１３２は、活動情報に関連する情報を送受信する。すなわち表示部１３２は、活動情報、活動情報を相互に通知することについての登録を承認する旨の要求、登録を承認する旨の要求に対する応答、上記登録を削除する旨の要求、上記登録を削除する旨の要求に対する応答などを送受信する。なお、活動情報に関連する情報は、送信者を識別する電話番号および受信者を識別する電話番号に対応付けて送受信される。
【００２９】
さらに表示部１３２は、着信または受信した情報をディスプレイ２００に表示する。この場合に、表示部１３２は、着信または受信した情報の種類、非表示モードの設定および電話帳禁止モードの設定に基づいて、着信または受信した情報、または、着信または受信した情報に対応付けて格納している情報の表示または非表示を切り替える。
【００３０】
判断部１７０が表示部１３０に特定のユーザの電話番号に対応付けて通話の着呼があったと判断した場合に、表示部１３０は、非表示モード設定部１００により非表示モードが設定されていないときであって、禁止モード設定部１２０により電話帳禁止モードが設定されていないときは、当該電話番号に対応付けて電話帳格納部１４０に格納されている名前、および、着呼があった旨をディスプレイ２００に表示する。
【００３１】
判断部１７０が表示部１３０に特定のユーザの電話番号に対応付けて通話の着呼があったと判断した場合に、表示部１３０は、非表示モード設定部１００により非表示モードが設定されていないときであって、禁止モード設定部１２０により電話帳禁止モードが設定されているときは、当該電話番号および着呼があった旨をディスプレイ２００に表示する。
【００３２】
判断部１７０が表示部１３０に特定のユーザの電話番号に対応付けて通話の着呼があったと判断した場合に、表示部１３０は、非表示モード設定部１００により非表示モードが設定されているときは、電話帳禁止モードが設定にかかわらず、当該電話番号および着呼があった旨をディスプレイ２００に表示する。
【００３３】
判断部１７０が表示部１３０により特定のユーザの電話番号に対応付けられた活動情報が受信されたと判断した場合に、表示部１３０は、非表示モードおよび電話帳禁止モードの設定によって、下記の通り動作する。まず、非表示モード設定部１００により非表示モードが設定されていないときであって、禁止モード設定部１２０により電話帳禁止モードが設定されていないとき、表示部１３０は、当該電話番号に対応付けて承認情報格納部１５０に格納されている当該特定のユーザの名前および受信した活動情報をディスプレイ２００に表示する。一方、非表示モード設定部１００により非表示モードが設定されていないときであって、禁止モード設定部１２０により電話帳禁止モードが設定されているとき、表示部１３０は、当該電話番号および受信した活動情報をディスプレイ２００に表示する。
【００３４】
さらに、判断部１７０が表示部１３０により特定のユーザの電話番号に対応付けられた活動情報を受信されたと判断した場合に、表示部１３０は、非表示モード設定部１００により非表示モードが設定されているときは、電話帳禁止モードが設定にかかわらず、当該電話番号、当該特定ユーザの名前、および、活動情報を受信した旨をディスプレイ２００に表示しない。
【００３５】
判断部１７０が表示部１３０により特定のユーザの電話番号に対応付けて登録を削除する旨の要求が受信されたと判断した場合に、表示部１３０は、非表示モードおよび電話帳禁止モードの設定によって、下記の通り動作する。まず、非表示モード設定部１００により非表示モードが設定されていないときであって、禁止モード設定部１２０により電話帳禁止モードが設定されていないとき、表示部１３０は、当該電話番号に対応付けて承認情報格納部１５０に格納されている当該特定のユーザの名前、および、当該要求をディスプレイ２００に表示する。一方、非表示モード設定部１００により非表示モードが設定されていないときであって、禁止モード設定部１２０により電話帳禁止モードが設定されているとき、表示部１３０は、当該電話番号および当該要求をディスプレイ２００に表示する。
【００３６】
さらに、判断部１７０が表示部１３０により特定のユーザの電話番号に対応付けて登録を削除する旨の要求が受信されたと判断した場合に、表示部１３０は、非表示モード設定部１００により非表示モードが設定されているときは、電話帳禁止モードが設定にかかわらず、当該電話番号および当該要求をディスプレイ２００に表示する。
【００３７】
したがって、図５のブロック図により示される携帯電話２０は、活動情報に関連する情報を受信した場合に、非表示モードおよび電話帳禁止モードの設定だけでなく、非表示モードの設定、電話帳禁止モードの設定、および、受信した活動情報に関連する情報の種類に応じて、受信した活動情報に関連する情報、または、受信した活動情報に関連する情報に対応付けて格納している情報の表示または非表示を切り替えることができる。
【００３８】
なお、図５に示す非表示モード設定部１００、特定ユーザ受付部１１０、承認情報格納部１５０、反映部１６０および判断部１７０は、図２に示す非表示モード設定部１００、特定ユーザ受付部１１０、電話帳格納部１４０、承認情報格納部１５０、反映部１６０および判断部１７０と同一なので説明を省略する。
【００３９】
図７は、図５に示す携帯電話２０の動作の一例を示すフローチャートである。図８は、図５に示す携帯電話２０のディスプレイ２００に表示された情報の一例を示す。図７に示すフローチャートは、携帯電話２０が通話を着信することにより開始する。すなわち表示部１３２が、通話、電子メールまたは活動情報に関連する情報を着信または受信した後に、判断部１７０が、表示部１３２は通話を着信したと判断し、その旨を表示部１３２に通知することにより開始する。
【００４０】
本フローチャートにおいて、まず、表示部１３２は、電話帳格納部１４２を参照することにより、非表示モードに設定されているか否かを判断する（Ｓ１００）。表示部１３２は、ステップＳ１００において電話帳格納部１４２を参照することにより非表示モードに設定されていないと判断した場合に（Ｓ１００：Ｎｏ）、電話帳格納部１４２を参照することにより電話帳禁止モードに設定されているか否かを判断する（Ｓ１１０）。
【００４１】
ステップＳ１１０において電話帳格納部１４２を参照することにより電話帳禁止モードに設定されていないと判断した場合に（Ｓ１１０：Ｎｏ）、表示部１３２は、当該電話番号に対応付けて電話帳格納部１４２に格納されている名前、および、着呼があった旨をディスプレイ２００に表示する（Ｓ１２０）。そして本フローチャートは終了する。
【００４２】
一方、表示部１３２は、ステップＳ１１０において電話帳格納部１４２を参照することにより電話帳禁止モードに設定されていると判断した場合に（Ｓ１１０：Ｙｅｓ）、当該電話番号および着呼があった旨をディスプレイ２００に表示する（Ｓ１５０）。そして本フローチャートは終了する。
【００４３】
一方、表示部１３２は、ステップＳ１００において電話帳格納部１４２を参照することにより非表示モードに設定されていると判断した場合に（Ｓ１００：Ｙｅｓ）、電話帳格納部１４２を参照することにより、特定ユーザからの着信であるか否かを判断する（Ｓ１４０）。さらに、表示部１３２は、ステップＳ１４０において電話帳格納部１４２を参照することにより特定ユーザからの着信であると判断した場合に（Ｓ１４０：Ｙｅｓ）、ステップＳ１５０を実行する（Ｓ１５０）。そして本フローチャートは終了する。
【００４４】
一方、表示部１３２は、ステップＳ１４０において電話帳格納部１４２を参照することにより特定ユーザからの着信でないと判断した場合に（Ｓ１４０：Ｎｏ）、ステップＳ１１０に飛ぶ。
【００４５】
本フローチャートによれば、例えば、本フローチャートの開始時において電話帳格納部１４２は図６に示す情報を格納している場合に、携帯電話２０が、ユーザＢが使用する携帯電話２２からの通話を着信したときは、表示部１３２は、ステップＳ１００（Ｙｅｓ）、ステップＳ１４０（Ｎｏ）およびステップＳ１１０（Ｎｏ）を経由してステップＳ１２０を実行する。よって表示部１３２は、図８（ａ）に示すように当該電話番号「ＸＸＸ−ＸＸＸ−ＸＸＸＸＸ１」に対応付けて電話帳格納部１４２に格納されている名前「Ｂさん」、および、着呼があった旨「着信あり」をディスプレイ２００に表示する（ステップＳ１２０）。
【００４６】
また、電話帳格納部１４２は図６に示す情報を格納している場合に、携帯電話２０が、ユーザＣが使用する携帯電話２４からの通話を着信したときは、表示部１３２は、ステップＳ１００（Ｙｅｓ）およびステップＳ１４０（Ｙｅｓ）を経由してステップＳ１５０を実行する。よって表示部１３２は、図８（ｂ）に示すように当該電話番号「ＸＸＸ−ＸＸＸ−ＸＸＸＸＸ２」、および、着呼があった旨「着信あり」をディスプレイ２００に表示する（Ｓ１５０）。
【００４７】
なお、図７に示すフローチャートは、禁止モード設定部１２０を備える携帯電話２０の動作の一例を示しているが、ステップＳ１１０を省略した場合には、禁止モード設定部１２０を備えない携帯電話２０の動作と同じになる。
【００４８】
図９は、図５に示す携帯電話２０の動作の一例を示すフローチャートである。図１０は、図５に示す携帯電話２０のディスプレイ２００に表示された情報の一例を示す。図１１は、図５に示す携帯電話２０の電話帳格納部１４２に格納された情報の一例を示す。図９に示すフローチャートは、携帯電話２０が他のユーザの活動情報を受信することにより開始する。すなわち表示部１３２が、通話、電子メールまたは活動情報に関連する情報を着信または受信した後に、判断部１７０が、表示部１３２は他のユーザの活動情報を受信したと判断し、その旨を表示部１３２に通知することにより開始する。
【００４９】
本フローチャートにおいて、まず、表示部１３２は、電話帳格納部１４２を参照することにより、非表示モードに設定されているか否かを判断する（Ｓ２００）。ステップＳ２００において表示部１３２は、電話帳格納部１４２を参照することにより非表示モードに設定されていないと判断した場合に（Ｓ２００：Ｎｏ）、電話帳格納部１４２を参照することにより電話帳禁止モードに設定されているか否かを判断する（Ｓ２１０）。
【００５０】
ステップＳ２１０において表示部１３２は、電話帳格納部１４２を参照することにより電話帳禁止モードに設定されていないと判断した場合に（Ｓ２１０：Ｎｏ）、当該電話番号に対応付けて承認情報格納部１５０に格納されている名前、および、受信した活動情報をディスプレイ２００に表示する（Ｓ２２０）。そして本フローチャートは終了する。一方、ステップＳ２１０において表示部１３２は、電話帳格納部１４２を参照することにより電話帳禁止モードに設定されていると判断した場合に（Ｓ２１０：Ｙｅｓ）、当該電話番号および受信した活動情報をディスプレイ２００に表示する（Ｓ２３０）。そして本フローチャートは終了する。
【００５１】
一方、ステップＳ２００において表示部１３２は、電話帳格納部１４２を参照することにより非表示モードに設定されていると判断した場合に（Ｓ２００：Ｙｅｓ）、電話帳格納部１４２を参照することにより、特定ユーザの活動情報であるか否かを判断する（Ｓ２４０）。さらにステップＳ２４０において表示部１３２は、電話帳格納部１４２を参照することにより特定ユーザの活動情報であると判断した場合に（Ｓ２４０：Ｙｅｓ）、当該電話番号、名前および活動情報を受信した旨をディスプレイ２００に表示することなく、本フローチャートは終了する。一方、ステップＳ２４０において表示部１３２は、電話帳格納部１４２を参照することにより特定ユーザの活動情報でないと判断した場合（Ｓ２４０：Ｎｏ）、ステップＳ２１０に飛ぶ。
【００５２】
本フローチャートによれば、例えば、本フローチャートの開始時において電話帳格納部１４２は図６に示す情報を格納し、承認情報格納部１５０は図４に示す情報を格納している場合に、携帯電話２０が、携帯電話２２からユーザＢの活動情報「家」を受信したときは、表示部１３２は、ステップＳ２００（Ｙｅｓ）、ステップＳ２４０（Ｎｏ）およびステップＳ２１０（Ｎｏ）を経由してステップＳ２２０を実行する。よって表示部１３２は、図１０（ａ）に示すように当該電話番号「ＸＸＸ−ＸＸＸ−ＸＸＸＸＸ１」に対応付けて承認情報格納部１５０に格納されている名前「Bさん」、および、活動情報「家」をディスプレイ２００に表示する（Ｓ２２０）。
【００５３】
また、上記場合に、携帯電話２０が、携帯電話２４からユーザＣの活動情報「外出」を受信したときは、表示部１３２は、ステップＳ２００（Ｙｅｓ）およびステップＳ２４０（Ｙｅｓ）を経由して終了する。よって表示部１３２は、図１０（ａ）に示すように当該電話番号「ＸＸＸ−ＸＸＸ−ＸＸＸＸＸ２」、名前「Ｃ君」、および、活動情報「外出」を受信した旨のいずれもディスプレイ２００に表示しない。なお、破線で囲まれた空白の領域は、いずれもディスプレイ２００に表示されていないということを説明したものである。
【００５４】
また、本フローチャートの開始時において電話帳格納部１４２は図１１に示す情報を格納し、承認情報格納部１５０は図４に示す情報を格納している場合に、携帯電話２０が、携帯電話２２からユーザＢの活動情報「家」を受信したときは、表示部１３２は、ステップＳ２００（Ｙｅｓ）、ステップＳ２４０（Ｎｏ）およびステップＳ２１０（Ｙｅｓ）を経由してステップＳ２３０を実行する。よって表示部１３２は、図１０（ｂ）に示すように当該電話番号「ＸＸＸ−ＸＸＸ−ＸＸＸＸＸ１」および受信した活動情報「家」をディスプレイ２００に表示する（Ｓ２３０）。
【００５５】
図９に示すフローチャートによれば、携帯電話２０は、非表示モードが設定されている場合に、特定ユーザから活動情報を受信したときは（ステップＳ２４０：Ｎｏ）、活動情報を受信した形跡さえも残すことがないので、特定ユーザの存在をより確実に他者に秘密にすることができる。したがって、携帯電話２０が待ち受け時に活動情報を表示する場合、特定ユーザの名前だけでなく特定ユーザからの活動情報自体も非表示となるので、特定ユーザの存在の秘匿性がより向上する。
【００５６】
なお、図９に示すフローチャートは、禁止モード設定部１２０を備える携帯電話２０の動作の一例を示しているが、ステップＳ２１０を省略した場合には、禁止モード設定部１２０を備えない携帯電話２０の動作と同じになる。
【００５７】
図１２は、図５に示す携帯電話２０の動作の一例を示すフローチャートである。図１３は、図５に示す携帯電話２０のディスプレイ２００に表示された情報の一例を示す。図１２に示すフローチャートは、携帯電話２０が登録を削除する旨の要求を受信することにより開始する。すなわち表示部１３２が、通話、電子メールまたは活動情報に関連する情報を着信または受信した後に、判断部１７０が、表示部１３２は登録を削除する旨の要求を受信したと判断し、その旨を表示部１３２に通知することにより開始する。
【００５８】
本フローチャートにおいて、まず、表示部１３２は、電話帳格納部１４２を参照することにより、非表示モードに設定されているか否かを判断する（Ｓ３００）。ステップＳ３００において表示部１３２は、電話帳格納部１４２を参照することにより非表示モードに設定されていないと判断した場合に（Ｓ３００：Ｎｏ）、電話帳格納部１４２を参照することにより電話帳禁止モードに設定されているか否かを判断する（Ｓ３１０）。
【００５９】
ステップＳ３１０において表示部１３２は、電話帳格納部１４２を参照することにより電話帳禁止モードに設定されていないと判断した場合に（Ｓ３１０：Ｎｏ）、当該電話番号に対応付けて承認情報格納部１５０に格納されている名前、および、当該要求をディスプレイ２００に表示する（Ｓ３２０）。そして本フローチャートは終了する。
【００６０】
一方、ステップＳ３１０において表示部１３２は、電話帳格納部１４２を参照することにより電話帳禁止モードに設定されていると判断した場合に（Ｓ３１０：Ｙｅｓ）、当該電話番号および当該要求をディスプレイ２００に表示する（Ｓ３５０）。そして本フローチャートは終了する。
【００６１】
一方、ステップＳ３００において表示部１３２は、電話帳格納部１４２を参照することにより非表示モードに設定されていると判断した場合に（Ｓ３００：Ｙｅｓ）、電話帳格納部１４２を参照することにより、特定ユーザからの登録を削除する旨の要求であるか否かを判断する（Ｓ３４０）。ステップＳ３４０において表示部１３２は、電話帳格納部１４２を参照することにより特定ユーザからの登録を削除する旨の要求であると判断した場合に（Ｓ３４０：Ｙｅｓ）、ステップＳ３５０を実行する（Ｓ３５０）。そして本フローチャートは終了する。
【００６２】
一方、ステップＳ３４０において表示部１３２は、電話帳格納部１４２を参照することにより特定ユーザからの登録を削除する旨の要求でないと判断した場合に（Ｓ３４０：Ｎｏ）、ステップＳ３１０に飛ぶ。
【００６３】
本フローチャートによれば、例えば、本フローチャートの開始時において電話帳格納部１４２は図６に示す情報を格納し、承認情報格納部１５０は図４に示す情報を格納している場合に、携帯電話２０が、携帯電話２２からユーザＢの登録を削除する旨の要求を受信したときは、表示部１３２は、ステップＳ３００（Ｙｅｓ）、ステップＳ３４０（Ｎｏ）およびステップＳ３１０（Ｎｏ）を経由してステップＳ３２０を実行する。よって表示部１３２は、図１２（ａ）に示すように当該電話番号「ＸＸＸ−ＸＸＸ−ＸＸＸＸＸ１」に対応付けて承認情報格納部１５０に格納されている名前「Bさん」、および、当該要求「Ｂさんから登録の削除要求がありました」をディスプレイ２００に表示する（Ｓ３２０）。
【００６４】
また、上記場合に、携帯電話２０が、携帯電話２４からユーザＣの登録を削除する旨の要求を受信したときは、表示部１３２は、ステップＳ３００（Ｙｅｓ）およびステップＳ３４０（Ｙｅｓ）を経由してステップＳ３５０を実行する。よって表示部１３２は、図１２（ｂ）に示すように当該電話番号「ＸＸＸ−ＸＸＸ−ＸＸＸＸＸ２」、および、当該要求「ＸＸＸ−ＸＸＸ−ＸＸＸＸＸ２さんから登録の削除要求がありました」をディスプレイ２００に表示する（Ｓ３５０）。
【００６５】
図１２に示すフローチャートによれば、携帯電話２０は、非表示モードが設定されている場合に、特定ユーザから登録を削除する旨の要求を受信した場合には、電話番号および登録を削除する旨の要求を表示するので（Ｓ３５０）、名前を伏せた状態で特定ユーザからの登録を削除する旨の要求を表示することができる。
【００６６】
なお、図１２に示すフローチャートは、禁止モード設定部１２０を備える携帯電話２０の動作の一例を示しているが、ステップＳ３１０を省略した場合には、禁止モード設定部１２０を備えない携帯電話２０の動作と同じになる。
【００６７】
以上、本実施形態によれば、活動情報に関連する情報を受信した場合に、非表示モード等の設定だけでなく、非表示モード等の設定、および、受信した活動情報に関連する情報の種類に応じて、受信した活動情報に関連する情報、または、受信した活動情報に関連する情報に対応付けて格納している情報の表示または非表示を切り替えることができる。例えば、非表示モードおよび電話帳禁止モードの設定が同一であった場合でも、図９に示すように活動情報を受信したときは無視し（Ｓ２４０：Ｎｏ）、一方、図１２に示すように登録を削除する旨の要求を受信したときは電話番号等を表示する（Ｓ３５０）など、表示または非表示を切り替えることができる。
【００６８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６９】
【図１】携帯電話２０を含むシステム構成の模式図である。
【図２】携帯電話２０のブロック図の一例を示す。
【図３】電話帳格納部１４０に格納された情報の一例を示す。
【図４】承認情報格納部１５０に格納された情報の一例を示す。
【図５】携帯電話２０のブロック図の他の一例を示す。
【図６】電話帳格納部１４２に格納された情報の一例を示す。
【図７】図５に示す携帯電話２０の動作の一例を示すフローチャートである。
【図８】図５に示す携帯電話２０のディスプレイ２００に表示された情報の一例を示す。
【図９】図５に示す携帯電話２０の動作の一例を示すフローチャートである。
【図１０】図５に示す携帯電話２０のディスプレイ２００に表示された情報の一例を示す。
【図１１】図５に示す携帯電話２０の電話帳格納部１４２に格納された情報の一例を示す。
【図１２】図５に示す携帯電話２０の動作の一例を示すフローチャートである。
【図１３】図５に示す携帯電話２０のディスプレイ２００に表示された情報の一例を示す。
【符号の説明】
【００７０】
２０  携帯電話
２２  携帯電話
２４  携帯電話
２６  携帯電話
２８  携帯電話
３０  サーバ
３２  サーバ
３４  サーバ
７０  ネットワーク
８０  ネットワーク
１００  非表示モード設定部
１１０  特定ユーザ受付部
１２０  禁止モード設定部
１３０  表示部
１３２  表示部
１４０  電話帳格納部
１４２  電話帳格納部
１５０  承認情報格納部
１６０  反映部
１７０  判断部
２００  ディスプレイ
２０２  ディスプレイ
２０４  ディスプレイ
２０６  ディスプレイ
２０８  ディスプレイ
３００  操作パネル
３０２  操作パネル
３０４  操作パネル
３０６  操作パネル
３０８  操作パネル
【図１】
2008104103.tif 000003
【図２】
2008104103.tif 000004
【図３】
2008104103.tif 000005
【図４】
2008104103.tif 000006
【図５】
2008104103.tif 000007
【図６】
2008104103.tif 000008
【図７】
2008104103.tif 000009
【図８】
2008104103.tif 000010
【図９】
2008104103.tif 000011
【図１０】
2008104103.tif 000012
【図１１】
2008104103.tif 000013
【図１２】
2008104103.tif 000014
【図１３】
2008104103.tif 000015